(57)【要約】【課題】熱による定盤の変形を抑止して精度の高い測定を行うことができる三次元座標測定装置を提供する。【解決手段】  石材の定盤１０の右側部には、溝４０がＹ軸方向に沿って形成され、その溝４０と定盤１０の右側面１０Ｒとの間に門型のＹキャリッジをＹ軸方向に移動可能に支持するＹガイド４２が形成される。Ｙキャリッジの右側の下端部には支持部が設けられ、その支持部は、Ｙガイド４２にＹ軸方向に移動可能に支持される。この定盤１０の前側面１０Ｆと後側面１０Ｅには、それらの全面を覆う断熱部材１５０、１５２が設けられ、定盤１０の前側面１０Ｆと後側面１０Ｅから定盤１０の内部又は外気へと出入りする熱が遮断される。【選択図】図６
2019060894.tif 000002
【特許請求の範囲】
【請求項１】
Ｚ軸に垂直な上面とＹ軸方向に沿った第１の側面とを有し、前記上面に測定対象物を載置する定盤と、前記定盤の上面側で測定プローブを支持し、かつ、Ｙ軸方向に移動自在に配置されるＹキャリッジと、を備えた三次元座標測定装置において、
前記定盤に前記第１の側面に沿って形成された溝であって、該溝の内面及び前記第１の側面により前記ＹキャリッジをＹ軸方向に移動可能に支持する溝と、
前記第１の側面と異なる前記定盤の側面を覆う断熱部材と、
を備えた三次元座標測定装置。
【請求項２】
前記断熱部材は、前記定盤のＸ軸方向に沿った側面に設けられた請求項１に記載の三次元座標測定装置。
【請求項３】
前記Ｙキャリッジは、前記第１の側面及び前記溝の内面に摺動可能にＹ軸方向に移動する支持部を有する請求項１又は２に記載の三次元座標測定装置。
【請求項４】
前記支持部は、前記ＹキャリッジをＹ軸方向に移動させるモータを備えた請求項３に記載の三次元座標測定装置。
【請求項５】
前記定盤は、石材の定盤である請求項１〜４のうちいずれか１項に記載の三次元座標測定装置。
【発明の詳細な説明】
【技術分野】
【０００１】
本発明は三次元座標測定装置に係り、特にＸ、Ｙ、Ｚ軸の３軸方向に測定プローブを移動させて測定対象物の三次元形状を測定する三次元座標測定装置に関する。
【背景技術】
【０００２】
一般的な三次元座標測定装置では、測定対象物を載置する定盤の上部に前後方向（Ｙ軸方向）に移動自在のＹキャリッジが配置される。Ｙキャリッジは、左右方向（Ｘ軸方向）に沿って架け渡された柱状のＸガイドを有し、ＸガイドにはＸキャリッジがＸ軸方向に移動自在に支持される。Ｘキャリッジには、上下方向（Ｚ軸方向）に沿った柱状のＺキャリッジがＺ軸方向に移動自在に支持され、Ｚキャリッジの下端には測定プローブが取り付けられる。これにより、測定プローブの測定子（スタイラス）がＸ、Ｙ、Ｚ軸の３軸方向に移動自在に支持される。
【０００３】
このような三次元座標測定装置において、特許文献１には、定盤の左右側面と、左右側面に沿った定盤上面とでエアパッド（エアベアリング）を介してＹキャリッジを支持する支持構造が開示されている。
【０００４】
また、特許文献１に記載されているように、定盤の変形による定盤表面の真直度低下や振動などによって測定精度が低下することを避けるため、定盤として、硬度が高く比重の大きい御影石や大理石などの石材のものが使用されている。
【０００５】
一方、石材の定盤は、熱伝導率が低いため内部に熱が伝わり難く、定盤の周囲の外気の温度（周囲温度）が変化した場合に、定盤の内部が一様な温度となるまでに長時間に渡り温度勾配が生じる。このような温度勾配が生じると、定盤が変形し、定盤表面（上面、側面等）の真直度低下により測定精度の低下を招くという問題がある。特に定盤の左右の側面はＹキャリッジのガイドとして使用されるため、左右の側面の真直度の低下はＹキャリッジの支持角度に誤差を生じ、測定結果に大きな影響を及ぼす。
【０００６】
そこで、特許文献１では、Ｙキャリッジのガイドとして使用されない定盤の表面、即ち、前後の側面を断熱部材で被覆することを開示している。これによれば、定盤の前後の側面から出入りする熱量が低減するため、周囲温度が変化して定盤の内部に温度勾配が生じたとしてもＹ軸方向に対する温度勾配の発生が抑止される。したがって、周囲温度の変化にかかわらず定盤の左右の側面における真直度の低下が抑止され、測定精度の低下が抑止される。
【先行技術文献】
【特許文献】
【０００７】
【特許文献１】特開２００７−３３０５２号公報
【発明の概要】
【発明が解決しようとする課題】
【０００８】
ところで、特許文献１のように、定盤の領域のうち、測定対象物が載置されて測定が行われる測定領域と、ＹキャリッジをＹ軸方向にガイドするガイド領域とが一体で形成されている場合、ＹキャリッジをＹ軸方向に移動させるＹ駆動機構のモータ等で発生した熱がガイド領域を介して測定領域に流れ込む。
【０００９】
測定領域は体積が大きく熱容量が大きい（熱伝導率が低い）ため、測定領域に熱が流れ
込むと定盤が一様な温度となるまでに長い時間を要する。
【００１０】
そのため、特許文献１のように定盤の前後の側面を断熱部材で被覆して周囲の気温の影響による定盤のＹ軸方向に対する温度勾配の発生を抑止しても、Ｙ駆動機構により発生する熱によりＹ軸方向に対して温度勾配が生じる可能性がある。この場合に、ガイド部の表面の真直度が低下し、測定精度の低下を招く。
【００１１】
本発明は、このような事情に鑑みてなされたもので、熱による定盤の変形を抑止して精度の高い測定を行うことができる三次元座標測定装置を提供することを目的とする。
【課題を解決するための手段】
【００１２】
上記目的を達成するため、本発明の一の態様に係る三次元座標測定装置は、Ｚ軸に垂直な上面とＹ軸方向に沿った第１の側面とを有し、上面に測定対象物を載置する定盤と、定盤の上面側で測定プローブを支持し、かつ、Ｙ軸方向に移動自在に配置されるＹキャリッジと、を備えた三次元座標測定装置において、定盤に第１の側面に沿って形成された溝であって、溝の内面及び第１の側面によりＹキャリッジをＹ軸方向に移動可能に支持する溝と、第１の側面と異なる定盤の側面を覆う断熱部材と、を備える。
【００１３】
本態様によれば、定盤の側面から定盤の内部又は外気へと出入りする熱が断熱部材により低減されるため、定盤の周囲温度が変化しても、定盤の内部に温度変化が生じ難くなり、定盤の変形が抑止される。また、定盤の内部に温度変化が生じたとしてもＹ軸方向に対する温度勾配の発生が抑止されるため、少なくとも第１の側面及び溝の内面の直進度の低下が抑止され、ＹキャリッジのＹ軸方向への移動が精度良く行われる。
【００１４】
また、溝よりも第１の側面側の定盤の領域（ガイド領域）の近傍で発生する熱、例えば、ＹキャリッジをＹ軸方向に移動させるモータ等から発生する熱や、Ｙキャリッジと定盤のガイド領域との間の摩擦熱等が、測定対象物が載置されて測定が行われる定盤の測定領域に流れ込むことが溝により抑止される。したがって、それらの熱による定盤の測定領域の温度変化が抑止され、定盤の測定領域の変形が抑止される。このときガイド領域に温度変化が生じてガイド領域に温度勾配が生じたとしても、ガイド領域の体積は測定領域と比較して小さいために熱による変形量も小さく第１の側面及び溝の内面の直進度の低下が抑止され、ＹキャリッジのＹ軸方向への移動が精度良く行われる。
【００１５】
本発明の他の態様に係る三次元座標測定装置において、第１及び第２の支持部材と、第３及び第４の支持部材は、互いに対向する位置に配置された態様とすることが好ましい。
【００１６】
本発明の更に他の態様に係る三次元座標測定装置において、断熱部材は、定盤のＸ軸方向に沿った側面に設けられた態様とすることができる。
【００１７】
本発明の更に他の態様に係る三次元座標測定装置において、Ｙキャリッジは、第１の側面及び溝の内面に摺動可能にＹ軸方向に移動する支持部を有する態様とすることができる。
【００１８】
本発明の更に他の態様に係る三次元座標測定装置において、支持部は、前記ＹキャリッジをＹ軸方向に移動させるモータを備えた態様とすることができる。
【００１９】
本発明の更に他の態様に係る三次元座標測定装置において、定盤は、石材の定盤である態様とすることができる。
【発明の効果】
【００２０】
本発明によれば、熱による定盤の変形を抑止して精度の高い測定を行うことができる。
【図面の簡単な説明】
【００２１】
【図１】本発明が適用される三次元座標測定装置の外観を示した斜視図
【図２】本発明が適用される三次元座標測定装置の外観を示した正面図
【図３】定盤の右側部を拡大して示した正面図
【図４】定盤の右側部を拡大して示した右側面図
【図５】カバーを外した状態のＹキャリッジを示した斜視図
【図６】定盤の上面を示した上面図であり、Ｙキャリッジに設けられたエアパッドの定盤に対する配置を示した図
【図７】定盤の右側面を示した右側面図であり、Ｙキャリッジに設けられたエアパッドの定盤に対する配置を示した図
【図８】定盤の溝の部分を拡大して示した正面図
【図９】定盤の溝の部分を拡大して示した斜視図であって蛇腹カバーを示した図
【図１０】Ｘガイドから取り外したＺコラムを示した斜視図
【図１１】Ｘガイドから取り外したＺコラムを示した斜視図
【図１２】Ｘガイドから取り外したＺコラムを示した斜視図
【図１３】Ｘガイドから取り外したＺコラムの支持部を示した斜視図
【図１４】Ｘガイドから取り外したＺコラムの支持部を示した斜視図
【図１５】定盤のＹガイドがＹキャリッジを支持する支持点と、リニアエンコーダにおけるスケールと、測定対象物が配置される測定領域との位置関係を定盤の上面側から示した模式図
【図１６】周囲温度が低下するときの定盤の収縮の様子を示した図
【図１７】周囲温度が上昇するときの定盤の収縮の様子を示した図
【発明を実施するための形態】
【００２２】
以下、添付図面に従って本発明の好ましい実施の形態について詳説する。
【００２３】
図１及び図２は、本発明が適用される三次元座標測定装置１の外観を示した斜視図及び正面図である。
【００２４】
これらの図に示す三次元座標測定装置１は、設置面（床面）に架台１２を介して支持された定盤１０を有する。定盤１０は御影石や大理石などの石材により矩形状に一体形成され、測定対象物を載置する平坦な上面１０Ｔを有する。上面１０Ｔは、Ｘ軸及びＹ軸に平行に、即ち、Ｚ軸に垂直に配置される。なお、定盤１０は石材の定盤に限らない。
【００２５】
定盤１０の上面１０Ｔ側には、門型のＹキャリッジ１４が設置される。Ｙキャリッジ１４は、定盤１０を正面側から見たときの定盤１０の右側及び左側の各々にＺ軸方向に沿って延在して立設される第１の支柱部材である右Ｙキャリッジ１６及び第２の支柱部材である左Ｙキャリッジ１８と、右Ｙキャリッジ１６及び左Ｙキャリッジ１８の上端部に架け渡されてＸ軸方向に沿って延在する柱状のＸガイド２０とを有する。
【００２６】
右Ｙキャリッジ１６の下端部は、定盤１０に形成されるＹ軸方向に沿った後述のＹガイド４２に移動自在に支持される。また、右Ｙキャリッジ１６の下端部には、Ｙガイド４２に当接する駆動部が設けられており、右Ｙキャリッジ１６はその駆動部の駆動力によってＹガイド４２に沿って移動する。左Ｙキャリッジ１８の下端部は、定盤１０の上面１０Ｔに摺動自在に支持される。
【００２７】
これによって、Ｙキャリッジ１４は、定盤１０に対してＹ軸方向に移動可能に支持され、また、右Ｙキャリッジ１６の下端部の駆動部により、右Ｙキャリッジ１６を駆動側とし
、左Ｙキャリッジ１８を従動側としてＹ軸方向に移動する。
【００２８】
Ｘガイド２０には、Ｚコラム２２がＸガイド２０に沿って移動自在に支持される。Ｚコラム２２は、Ｘガイド２０に当接する駆動部を内蔵しており、その駆動部の駆動力によってＸガイド２０に沿ってＸ軸方向に移動する。
【００２９】
また、Ｚコラム２２の内部には、Ｚ軸に沿って延在する柱状のＺキャリッジ２４がＺ軸方向に移動自在に支持されており（図２参照）、そのＺキャリッジ２４の下端部側がＺコラム２２の下端部側から突出する。Ｚコラム２２は、Ｚキャリッジ２４に当接する駆動部を内蔵しており、その駆動部の駆動力によってＺキャリッジ２４がＺ軸方向に移動する。
【００３０】
Ｚキャリッジ２４の下端部には、タッチプローブ等の測定プローブ２６が取り付けられる。測定プローブ２６は、例えば、先端球を有する棒状のスタイラス２８を有し、測定プローブ２６は、スタイラス２８の先端（先端球）の測定対象物への接触の有無やスタイラス２８の先端の測定対象物への接触により生じるスタイラス２８の変位量を検出する。
【００３１】
以上のごとく構成された三次元座標測定装置１は、Ｙキャリッジ１４のＹ軸方向への移動、Ｚコラム２２のＸ軸方向への移動、及び、Ｚキャリッジ２４のＺ軸方向への移動によって測定プローブ２６のスタイラス２８をＸ、Ｙ、Ｚ軸方向に移動させ、定盤１０の上面１０Ｔに載置された測定対象物の表面に沿わせてスタイラス２８の先端（先端球）を移動させる。そして、そのときのＹキャリッジ１４のＹ軸方向の位置（移動量）、Ｚコラム２２のＸ軸方向の位置（移動量）、Ｚキャリッジ２４のＺ軸方向の位置（移動量）、及びスタイラス２８の位置（変位量）を計測することにより、測定対象物の表面の各位置の三次元座標を測定する。なお、三次元座標の測定に関する処理については周知であるので詳細な説明は省略する。
【００３２】
次に、Ｙキャリッジ１４をＹ軸方向に移動可能に支持すると共にＹ軸方向に移動させるＹ駆動機構について説明する。
【００３３】
まず、Ｙ駆動機構におけるＹキャリッジ１４の支持手段（Ｙガイド機構）について説明する。
【００３４】
図３及び図４は、定盤１０の右側部を拡大して示した正面図及び右側面図である。
【００３５】
図３に示すように、定盤１０は、Ｚ軸に垂直な上面１０Ｔ及び下面１０Ｂと、Ｘ軸に垂直な右側面１０Ｒを有する。また、定盤１０の右側面１０Ｒの近くであって定盤１０の上面１０Ｔ側には、Ｙ軸方向に沿った溝４０が形成される。
【００３６】
なお、図１及び図２では、溝４０の上部開口に蛇腹カバー等の伸縮自在の被覆部材が設置され、定盤１０の前側及び後側の側面（前側面１０Ｆ及び後側面１０Ｅ）に板状の被覆部材（後述の断熱部材１５０、１５２）が取り付けられた状態を示しているが、図３及び図４ではそれらの被覆部材を取り外した状態が示されている。
【００３７】
溝４０は、互いに対向するＸ軸に垂直な右側面４０Ｒ及び左側面４０Ｌと、Ｚ軸に垂直な底面４０Ｂとを有する。
【００３８】
これにより、溝４０の右側面４０Ｒと、定盤１０の右側面１０Ｒと、それらの間の定盤１０の上面１０Ｔと、定盤１０の下面１０Ｂとで、Ｙ軸方向に沿って延在するＹガイド４２が形成される。
【００３９】
なお、定盤１０の右側面１０Ｒと、溝４０の右側面４０Ｒ及び左側面４０Ｌは、Ｙ軸方向に沿って形成された面であれば必ずしもＸ軸に垂直な面でなくてもよく、定盤１０の下面１０Ｂと溝４０の底面４０Ｂは、必ずしもＺ軸に垂直な面でなくてもよい。
【００４０】
また、以下において、溝４０の右側面４０ＲをＹガイド４２の左側面４２Ｌ、定盤１０の右側面１０ＲをＹガイド４２の右側面４２Ｒ、それらの間の定盤１０の上面１０ＴをＹガイド４２の上面４２Ｔ、定盤１０の下面１０ＢをＹガイド４２の下面４２Ｂというものとする。
【００４１】
一方、図５には、各部のカバーを取り外した状態のＹキャリッジ１４の斜視図が示されており、図４及び図５に示すように、右Ｙキャリッジ１６の下端部には、Ｙ軸方向に幅広の支持部５０が設けられる。
【００４２】
また、支持部５０は、図３のように正面側からみると二股状に形成される。
【００４３】
なお、図３及び図４では支持部５０を覆う被覆部材を取り外した状態が示されている。
【００４４】
支持部５０は、主に図３に示すように、Ｙガイド４２の上面４２Ｔに対向し、Ｚ軸に直交する方向（水平方向）に沿って配置される基端部５２と、基端部５２からＺ軸方向に延設されてＹガイド４２の右側面４２Ｒに対向する側に配置される右側部５４と、基端部５２からＺ軸方向に延設されてＹガイド４２の左側面４２Ｌに対向する側に配置される左側部５６とを有する。
【００４５】
また、右側部５４の下端部にはＹガイド４２の下面４２Ｂに対向する位置までＸ軸方向に延設された支持板５８Ａ、５８Ａが支持部５０の先端部５８として設けられる。
【００４６】
支持部５０のこれらの基端部５２、右側部５４、左側部５６、及び先端部５８の各々には、次に示すように、空気を噴出することでＹガイド４２に対して摺動可能となる複数の円板状のエアパッドが設けられる。また、左Ｙキャリッジ１８の下端部にも空気を噴出することで定盤１０の上面１０Ｔに対して摺動可能となる円板状のエアパッドが設けられる。
【００４７】
図６及び図７は、定盤１０の上面１０Ｔ及び右側面１０Ｒを示した上面図及び右側面図であり、Ｙキャリッジ１４に設けられたエアパッドの定盤１０に対する配置が示されている。
【００４８】
これらの図において、Ｙガイド４２の上面４２Ｔに沿って配置された２つのエアパッド６２Ｆ、６２Ｅは、支持部５０の基端部５２においてＹ軸方向に沿った２箇所（Ｙ軸に平行な直線上の２箇所）の位置に設けられており、Ｙガイド４２の上面４２Ｔに対向して下向きに配置される。
【００４９】
Ｙガイド４２の右側面４２Ｒに沿って配置された２つのエアパッド６４Ｆ、６４Ｅは、支持部５０の右側部５４においてＹ軸方向に沿った２箇所（Ｙ軸に平行な直線上の２箇所）の位置に設けられており、Ｙガイド４２の右側面４２Ｒに対向して左向きに配置される。
【００５０】
Ｙガイド４２の左側面４２Ｌ（溝４０の右側面４０Ｒ）に沿って配置された２つのエアパッド６６Ｆ、６６Ｅは、支持部５０の左側部５６においてＹ軸方向に沿った２箇所（Ｙ軸に平行な直線上の２箇所）の位置に設けられており、Ｙガイド４２の左側面４２Ｌに対向して右向きに配置される。
【００５１】
Ｙガイド４２の下面４２Ｂに沿って配置された２つのエアパッド６８Ｆ、６８Ｅ（図３及び図７参照）は、支持部５０の先端部５８においてＹ軸方向に沿った２箇所（Ｙ軸に平行な直線上の２箇所）の位置に設けられ、Ｙガイド４２の下面に対向して上向きに配置される。
【００５２】
定盤１０の左側面の近くの上面に配置されたエアパッド７０は、左Ｙキャリッジ１８の下端部に設けられ、定盤１０の上面１０Ｔに対向して下向きに配置される。
【００５３】
ここで、支持部５０の基端部５２、右側部５４、左側部５６、及び先端部５８の各々において、前側（正面側）に設置されるエアパッド６２Ｆ、６４Ｆ、６６Ｆ、６８Ｆは、Ｙ軸方向に関して略同一位置に配置され（即ち、同一のＸＺ平面に沿った位置に配置され）、後側（背面側）に配置されるエアパッド６２Ｅ、６４Ｅ、６６Ｅ、６８Ｅは、Ｙ軸方向に関して略同一位置に配置される。
【００５４】
支持部５０の右側部５４に設置されるエアパッド６４Ｆ、６４Ｅと左側部５６に設置されるエアパッド６６Ｆ、６６Ｅとは、互いに対向する位置（即ち、Ｚ軸方向に関して略同一位置）に配置される。
【００５５】
支持部５０の基端部５２に設置されるエアパッド６２Ｆ、６２Ｅと先端部５８に設置されるエアパッド６８Ｆ、６８Ｅとは、互いに対向する位置（即ち、Ｘ軸方向に関して略同一位置）に配置される。
【００５６】
左Ｙキャリッジ１８の下端部に設置されるエアパッド７０は、そのＹ軸方向に関する位置が、Ｙキャリッジ１４と共にＹ軸方向に移動する全ての部材（Ｙキャリッジ１４及びＺコラム２２）の重心のＹ軸方向の位置と略一致する位置に配置される。
【００５７】
また、エアパッド６２Ｆ、６２Ｅ、７０が例えば直径１１０ｍｍのものであるのに対して、エアパッド６４Ｆ、６４Ｅ、６６Ｆ、６６Ｅは、エアパッド６２Ｆ、６２Ｅ、７０よりも直径が小さい例えば直径８０ｍｍのものが用いられる。更に、エアパッド６８Ｆ、６８Ｅは、エアパッド６４Ｆ、６４Ｅ、６６Ｆ、６６Ｅよりも直径が小さい例えば直径６０ｍｍのものが用いられる。
【００５８】
なお、参考として、定盤１０は、Ｘ軸方向の幅（横幅）が約８００ｍｍ〜約１０００ｍｍ、Ｙ軸方向の幅（奥行き）が約１２００ｍｍ〜約２７００ｍｍのものが用いられ、Ｙキャリッジ１４は、Ｚ軸方向の幅（高さ）として約６００ｍｍ〜約８００ｍｍを有し、支持部５０は、Ｙ軸方向の幅（奥行き）として約６５０ｍｍを有する。
【００５９】
以上のごとく構成されたＹキャリッジ１４の支持手段によれば、Ｙキャリッジ１４は、右Ｙキャリッジ１６における支持部５０のエアパッド６２Ｆ、６２Ｅ、６４Ｆ、６４Ｅ、６６Ｆ、６６Ｅ、６８Ｆ、６８Ｅを介してＹガイド４２（定盤１０）に支持される。即ち、支持部５０とＹガイド４２との係合によってＹキャリッジ１４がＹガイド４２に支持される。また、これと共に、Ｙキャリッジ１４は、左Ｙキャリッジ１８におけるエアパッド７０を介して定盤１０（上面１０Ｔ）に支持される。
【００６０】
また、各エアパッド６２Ｆ、６２Ｅ、６４Ｆ、６４Ｅ、６６Ｆ、６６Ｅ、６８Ｆ、６８Ｅ、７０から空気を噴出することで、右Ｙキャリッジ１６における支持部５０の各エアパッド６２Ｆ、６２Ｅ、６４Ｆ、６４Ｅ、６６Ｆ、６６Ｅ、６８Ｆ、６８ＥがＹガイド４２に対してＹ軸方向に摺動可能な状態となり、かつ、左Ｙキャリッジ１８におけるエアパッド７０が定盤１０の上面１０Ｔに対して摺動可能な状態となる。
【００６１】
したがって、Ｙキャリッジ１４が定盤１０に対してＹ軸方向に移動可能な状態となる。
【００６２】
続いて、Ｙ駆動機構におけるＹキャリッジ１４の駆動手段について説明する。
【００６３】
図４のように支持部５０の右側部５４には、駆動部８０が設けられる。図６及び図７にも示されているように駆動部８０は、支持部５０の右側部５４に設けられる２つのエアパッド６４Ｆ、６４Ｅの間の略中間となる位置に配置される。
【００６４】
駆動部８０は、モータ８２と、回転自在のローラ８４と、それらを動力伝達可能に連結する減速機構とが支持部材に組み付けられて一体的に構成されており、モータ８２を駆動するとローラ８４が回転する。
【００６５】
この駆動部８０は、図６に示すようにローラ８４の回転軸がＺ軸と平行に、かつ、ローラ８４の外周面が２つのエアパッド６４Ｆ、６４Ｅの間の略中間となる位置においてＹガイド４２の右側面４２Ｒ（定盤１０の右側面１０Ｒ）に当接するようにして支持部５０の右側部５４に設置される。
【００６６】
したがって、駆動部８０のモータ８２を駆動してローラ８４を回転させることで、Ｙガイド４２に沿って支持部５０が移動し、Ｙキャリッジ１４がＹ軸方向に移動する。
【００６７】
なお、Ｙキャリッジ１４の駆動手段として、駆動部８０の他にＹガイド４２の左側面４２Ｌに当接する駆動部を例えば駆動部８０に対峙させて設けてもよいし、駆動部８０の代わりにＹガイド４２の左側面４２Ｌに当接する駆動部のみを設けてもよい。
【００６８】
続いて、Ｙ駆動機構におけるＹキャリッジ１４の位置検出手段について説明する。
【００６９】
図８は、定盤１０の溝４０の部分を拡大して示した正面図である。同図に示すように溝４０の左側面４０Ｌには、例えば光学式のリニアエンコーダ１１０を構成する長板状のスケール１１２であって格子目盛が設けられたスケール１１２がＹ軸方向に沿って設置される（図６参照）。
【００７０】
一方、支持部５０の左側部５６には、リニアエンコーダ１１０を構成する光センサ１１４が支持部材を設置され、スケール１１２に対向した位置に配置される（図６参照）。そして、光センサ１１４に対向する位置の格子目盛に応じた検出信号が光センサ１１４から出力される。
【００７１】
このリニアエンコーダ１１０によれば、Ｙキャリッジ１４がＹ軸方向に移動すると、Ｙキャリッジ１４と共に光センサ１１４がＹ軸方向に移動し、スケール１１２に対する光センサ１１４の対向位置が変化する。このとき、光センサ１１４から出力される検出信号に基づいてＹキャリッジ１４のＹ軸方向の位置が検出される。
【００７２】
続いて、溝４０の上部開口及び定盤１０の前側面１０Ｆ及び後側面１０Ｅを被覆する被覆部材について説明する。
【００７３】
図９は、定盤１０の溝４０の部分を拡大して示した斜視図である。
【００７４】
同図に示すように溝４０の上部開口の右縁部と左縁部には、図８では省略した右レール１３０Ｒと左レール１３０Ｌが定盤１０に固定されて配置される。
【００７５】
右レール１３０Ｒと左レール１３０Ｌとはいずれも溝４０の正面側の端（前端）から背面側の端（後端）まで延在し、右レール１３０Ｒは、溝４０の右側面４０Ｒ（Ｙガイド４２の左側面４２Ｌ）に沿って、左レール１３０Ｌは、溝４０の左側面４０Ｌに沿って設けられる（図６参照）。
【００７６】
また、右レール１３０Ｒと左レール１３０Ｌとは、左右対称の形状を有しており、各々には、横向きの開口であって互いに向き合う方向に開口を有するガイド溝１３２Ｒ、１３２Ｌが設けられる。
【００７７】
そして、溝４０の上部開口には、右レール１３０Ｒのガイド溝１３２Ｒと左レール１３０Ｌのガイド溝１３２Ｌに左右両側の端縁部が嵌入して支持された伸縮自在の蛇腹カバー１３４が設置される。
【００７８】
蛇腹カバー１３４は、右Ｙキャリッジ１６における支持部５０の左側部５６を挟んで前側の蛇腹カバー１３４Ｆと後側の蛇腹カバー１３４Ｅ（図１参照）とに分離して設置されており、前側に設置される蛇腹カバー１３４Ｆは、前端が定盤１０の前側面１０Ｆに不図示の固定部材（定盤１０の前側面１０Ｆを被覆する被覆部材等）を介して固定され、後端が支持部５０の左側部５６の前面に固定される。後側に設置される蛇腹カバー１３４Ｅは、前端が支持部５０の左側部５６の後面に固定され、後端が定盤１０の後側面１０Ｅに不図示の固定部材（定盤１０の後側面１０Ｅを被覆する被覆部材等）を介して定盤１０に固定される。
【００７９】
これによれば、溝４０の上部開口が蛇腹カバー１３４により被覆される。そして、Ｙキャリッジ１４（支持部５０）のＹ軸方向への移動に伴って蛇腹カバー１３４がＹ軸方向に伸縮し、Ｙキャリッジ１４が前側に移動したときには、前側の蛇腹カバー１３４Ｆが収縮し、後側の蛇腹カバー１３４Ｅが伸張する。Ｙキャリッジ１４が後側に移動したときには、前側の蛇腹カバー１３４Ｆが伸張し、後側の蛇腹カバー１３４Ｅが収縮する。したがって、Ｙキャリッジ１４のＹ軸方向の位置にかかわらず、常に溝４０の上部開口が蛇腹カバー１３４により被覆される。
【００８０】
これによって、溝４０の内部に設置されたスケール１１２に外気が直接あたることが防止され、また、溝４０の内部の温度変化も抑止することができ、外気の温度変化によってスケール１１２が伸縮することが防止される。
【００８１】
また、溝４０の内部にゴミや埃等が入り込むことが防止され、スケール１１２にゴミ等が付着して、格子目盛の読み取りエラーによる測定誤差が発生するという事態や、溝４０の内部に配置されたエアパッド６６Ｆ、６６Ｅにゴミ等が付着してＹキャリッジ１４のＹ軸方向への移動が不安定になるという事態等が未然に防止される。
【００８２】
また、定盤１０の前側面１０Ｆ及び後側面１０Ｅには被覆部材が設けられる。図６及び図７に示されているように、定盤１０の前側面１０Ｆと後側面１０Ｅの各々には、それらの面の略全体を被覆する被覆部材として板状の断熱部材１５０、１５２が固着される。
【００８３】
これにより、定盤１０の前側面１０Ｆ及び後側面１０Ｅから定盤１０の内部又は外気へと出入りする熱量が低減するため、定盤１０の周囲の外気の温度（周囲温度）が変化しても、定盤１０の内部の温度変化が生じ難くなり、定盤１０の変形が抑止される。また、後述のように定盤１０の内部に温度変化が生じたとしてもＹ軸方向に対する温度勾配の発生が抑止される。したがって、Ｙキャリッジ１４の直進度の低下が抑止される。
【００８４】
次に、Ｚコラム２２をＸ軸方向に移動可能に支持すると共にＸ軸方向に移動させるＸ駆
動機構について説明する。
【００８５】
まず、Ｘ駆動機構におけるＺコラム２２の支持手段（Ｘガイド機構）について説明する。
【００８６】
図５には、上述のようにカバーを外した状態のＹキャリッジ１４が示されており、図１０、図１１、図１２には、Ｘガイド２０から取り外したＺコラム２２が示されている。これらの図に示されているようにＺコラム２２は、各種部品が組み付けられる支持部２００であってＸキャリッジに相当する支持部２００を備え、支持部２００には、四角柱状のＸガイド２０を挿通するＸ軸方向に沿った矩形状のＸガイド挿通孔２０２が設けられる。
【００８７】
支持部２００において、Ｘガイド挿通孔２０２を画定する前面２０２Ｆ、後面２０２Ｅ、上面２０２Ｔ、及び下面２０２Ｂ（Ｘガイド挿通孔２０２の前面２０２Ｆ等という）の各々には、空気を噴出することでＸガイド２０に対して摺動可能となる円板状のエアパッドが設けられる。
【００８８】
Ｘガイド挿通孔２０２の前面２０２Ｆには、図１１に示すように上下と左右に対称となる４箇所の各々に１つずつの合計４つのエアパッド２１０、２１０、２１０、２１０が配置され、Ｘガイド２０の前面２０Ｆ（図５参照）に対向して後向きに配置される。
【００８９】
Ｘガイド挿通孔２０２の後面２０２Ｅには、図１２に示すように上側の２箇所と下側の１箇所の各々に１つずつの合計３つのエアパッド２１２、２１２、２１２が配置され、Ｘガイド２０の後面２０Ｅ（図５参照）に対向して前向きに配置される。
【００９０】
Ｘガイド挿通孔２０２の上面２０２Ｔには、図１０に示すように左右の２箇所の各々に１つずつの合計２つのエアパッド２１４、２１４が配置され、Ｘガイド２０の上面２０Ｔ（図５参照）に対向して下向きに配置される。
【００９１】
Ｘガイド挿通孔２０２の下面２０２Ｂには、図１１に示すように１つのエアパッド２１６が配置され、Ｘガイド２０の下面２０Ｂ（図５参照）に対向して上向きに配置される。
【００９２】
以上のごとく構成されたＺコラム２２の支持手段によれば、支持部２００のＸガイド挿通孔２０２にＸガイド２０を挿通させると、支持部２００は、エアパッド２１０、２１２、２１４、２１６を介してＸガイド２０に支持されて、Ｚコラム２２が支持部２００を介してＸガイド２０に支持される。
【００９３】
また、各エアパッド２１０、２１２、２１４、２１６から空気を噴出することで、支持部２００の各エアパッド２１０、２１２、２１４、２１６がＸガイド２０に対してＸ軸方向に摺動可能な状態となる。
【００９４】
したがって、Ｚコラム２２がＸ軸方向に移動可能な状態となる。
【００９５】
続いて、Ｘ駆動機構におけるＺコラム２２の駆動手段について説明する。
【００９６】
図１０〜図１２に示すようにＸガイド挿通孔２０２の後面２０２Ｅには、上述のＹ駆動機構における駆動部８０と同様の構成を有し、モータ２２２とローラ２２４（図１２参照）を備えた駆動部２２０が設けられる。駆動部２２０は、ローラ２２４の回転軸がＺ軸と平行となるようにＸガイド挿通孔２０２の後面２０２Ｅに設置され、かつ、ローラ２２４の外周面がＸガイド挿通孔２０２の後面２０２Ｅの上側に設置された２つのエアパッド２１２、２１２の間の略中間となる位置においてＸガイド２０の後面２０Ｅ（図５参照）に当接するように設置される。
【００９７】
したがって、駆動部２２０のモータ２２２を駆動してローラ２２４を回転させることで、Ｘガイド２０に沿って支持部２００が移動し、Ｚコラム２２がＸ軸方向に移動する。
【００９８】
なお、Ｘガイド２０及び支持部２００には、Ｘ駆動機構におけるＺコラム２２の位置検出手段として、Ｙ駆動機構における上述のリニアエンコーダ１１０と同様の光学式のリニアエンコーダが設けられ、Ｘガイド２０には、長板状のスケールがＸ軸方向に沿って設置され、支持部２００には、光センサがスケールに対向した位置に配置される。
【００９９】
次に、Ｚキャリッジ２４をＺ軸方向に移動可能に支持すると共にＺ軸方向に移動させるＺ駆動機構について説明する。
【０１００】
まず、Ｚ駆動機構におけるＺキャリッジ２４の支持手段（Ｚガイド機構）について説明する。
【０１０１】
図１３、図１４には、図１０〜図１２に示したＺコラム２２の支持部２００からＺキャリッジ２４を取り外した状態が示されており、これらの図に示されているように支持部２００には、四角柱状のＺキャリッジ２４を挿通するＺ軸方向に沿った矩形状のＺキャリッジ挿通孔２５０がＸガイド挿通孔２０２の前側に設けられる。
【０１０２】
支持部２００において、Ｚキャリッジ挿通孔２５０を画定する前面２５０Ｆ、後面２５０Ｅ、右側面２５０Ｒ、及び左側面２５０Ｌ（Ｚキャリッジ挿通孔２５０の前面２５０Ｆ等という）の各々（図１４参照）には、空気を噴出することでＺキャリッジ２４に対して摺動可能となるエアパッドが設けられる。
【０１０３】
Ｚキャリッジ挿通孔２５０の下側開口付近には、図１３に示すようにＺキャリッジ挿通孔２５０の前面２５０Ｆ、後面２５０Ｅ、右側面２５０Ｒ、及び左側面２５０Ｌの各々に１つずつの合計４つのエアパッド２６０、２６２、２６４、２６６が配置され、それらのエアパッド２６０、２６２、２６４、２６６の各々は、Ｚキャリッジ２４の前面２４Ｆ、後面２４Ｅ、右側面２４Ｒ、及び左側面２４Ｌ（図１２参照）の各々に対向して後向き、前向き、左向き、右向きに配置される。
【０１０４】
Ｚキャリッジ挿通孔２５０の上側開口付近には、図１４に示すようにＺキャリッジ挿通孔２５０の前面２５０Ｆ、後面２５０Ｅ、及び右側面１０Ｒの各々に１つずつの合計３つのエアパッド２６０、２６２、２６４が配置され、それらのエアパッド２６０、２６２、２６４の各々は、Ｚキャリッジ２４の前面２４Ｆ、後面２４Ｅ、及び右側面２４Ｒの各々に対向して後向き、前向き、左向きに配置される。
【０１０５】
一方、Ｚキャリッジ挿通孔２５０の上側開口付近におけるＺキャリッジ挿通孔２５０の左側面２５０Ｌには２つのエアパッド２６６、２６６が配置され、それらのエアパッド２６６、２６６は、Ｚキャリッジ２４の左側面２４Ｌに対向して右向きに配置される。
【０１０６】
以上のごとく構成されたＺキャリッジ２４の支持手段によれば、支持部２００のＺキャリッジ挿通孔２５０にＺキャリッジ２４を挿通させると、支持部２００は、エアパッド２６０、２６２、２６４、２６６を介してＺキャリッジ２４を支持する。
【０１０７】
また、各エアパッド２６０、２６２、２６４、２６６から空気を噴出することで、支持部２００の各エアパッド２６０、２６２、２６４、２６６がＺキャリッジ２４に対して摺動可能な状態となり、Ｚキャリッジ２４がＺ軸方向に移動可能な状態となる。
【０１０８】
続いて、Ｚ駆動機構におけるＺキャリッジ２４の駆動手段について説明する。
【０１０９】
図１３及び図１４に示すようにＺキャリッジ挿通孔２５０の前面２５０Ｆには、上述のＹ駆動機構における駆動部８０と同様の構成を有し、モータ２７２とローラ２７４（図１４参照）を備えた駆動部２７０が設けられる。駆動部２７０は、ローラ２７４の回転軸がＸ軸と平行となるようにＺキャリッジ挿通孔２５０の前面２５０Ｆに設置され、かつ、ローラ２７４の外周面がＺキャリッジ挿通孔２５０の前面２５０Ｆに設置された２つのエアパッド２６０、２６０の間の略中間となる位置においてＺキャリッジ２４の前面２４Ｆに当接するように設置される。
【０１１０】
したがって、駆動部２７０のモータ２７２を駆動してローラ２７４を回転させることで、Ｚキャリッジ２４が支持部２００に対してＺ軸方向に移動する。
【０１１１】
なお、Ｚキャリッジ２４及び支持部２００には、Ｚ駆動機構におけるＺキャリッジ２４の位置検出手段として、Ｙ駆動機構における上述のリニアエンコーダ１１０と同様の光学式のリニアエンコーダが設けられ、Ｚキャリッジ２４には、長板状のスケールがＺ軸方向に沿って設置され、支持部２００には、光センサがスケールに対向した位置に配置される。
【０１１２】
また、図１０〜図１４に示されているケーブル保護管２７８は、ケーブルを内部に挿通させて案内する湾曲可能な案内部材である。Ｚキャリッジ２４の下端部に取り付けられる測定プローブ２６のケーブルは、Ｚコラム２２の内部において、Ｚキャリッジ２４の内部及びケーブル保護管２７８の内部に挿通配置され、他の部材との干渉が防止される。
【０１１３】
以上のごとく構成された三次元座標測定装置１において、主に、Ｙキャリッジ１４のＹ軸方向の位置（Ｙ座標値）の測定精度、即ち、測定対象物のＹ座標値の測定精度の向上を図る効果について説明する。
【０１１４】
図１５は、定盤１０のＹガイド４２がＹキャリッジ１４を支持する支持点と、リニアエンコーダ１１０におけるスケール１１２と、測定対象物が配置される測定領域との位置関係を定盤１０の上面１０Ｔ側から示した模式図である。
【０１１５】
同図において、定盤１０に形成されたＹガイド４２の左側面４２Ｌに存在する前後２つの支持点Ｐ１、Ｐ２は、Ｙキャリッジ１４（支持部５０）のエアパッド６６Ｆ、６６Ｅが当接する位置を示し、Ｙガイド４２の右側面４２Ｒに存在する前後２つの支持点Ｐ３、Ｐ４は、Ｙキャリッジ１４（支持部５０）のエアパッド６４Ｆ、６４Ｅが当接する位置を示し、Ｙガイド４２の右側面４２Ｒに存在する支持点Ｐ０（駆動点）は、Ｙキャリッジ１４（支持部５０）の駆動部８０のローラ８４が当接する位置を示す（図６参照）。
【０１１６】
また、支持点Ｐ１、Ｐ２は固定の支持点を示し、支持点Ｐ３、Ｐ４は補助的な支持点を示す。即ち、固定の支持点Ｐ１、Ｐ２となるエアパッド６６Ｆ、６６Ｅは、Ｙキャリッジ１４の支持部５０において、それらが摺動するガイド面であるＹガイド４２の左側面４２Ｌの法線方向に進退移動不能に支持される。一方、補助的な支持点Ｐ３、Ｐ４となるエアパッド６４Ｆ、６４Ｅは、Ｙキャリッジ１４の支持部５０において、それらが摺動するガイド面であるＹガイド４２の右側面４２Ｒの法線方向に対して進退移動可能に支持されると共に、右側面４２Ｒに当接する方向に付勢される。
【０１１７】
同図に示すように、溝４０の左側面４０Ｌに設置されるスケール１１２は、測定領域と、支持点Ｐ０〜Ｐ４が設けられるＹガイド４２との間に配置される。即ち、スケール１１２は、Ｙキャリッジ１４（右Ｙキャリッジ１６）のエアパッド６４Ｆ、６４Ｅ、６６Ｆ、６６Ｅ、及び駆動部８０よりも測定領域側に配置される。
【０１１８】
したがって、測定領域とスケール１１２との間にＹキャリッジ１４のＺ軸方向に沿った支柱部材である右Ｙキャリッジ１６が介在せず、測定領域からスケール１１２までの距離が短い。
【０１１９】
そのため、Ｙキャリッジ１４のヨーイング方向（Ｚ軸周り方向）の振れなどによってＹキャリッジ１４のＸガイド２０の方向がＸ軸方向からずれた場合であっても、測定領域における測定プローブ２６のスタイラス２８が実際に配置されている位置のＹ座標値と、スケール１１２（リニアエンコーダ１１０）により実測されるＹキャリッジ１４のＹ座標値から得られるスタイラス２８のＹ座標値との差が小さくなる。
【０１２０】
したがって、Ｙキャリッジ１４にヨーイング方向の振れ等が生じた場合であっても、Ｙキャリッジ１４のＹ座標値の測定精度、即ち、測定対象物のＹ座標値の測定精度の向上が図られる。
【０１２１】
なお、駆動部８０のローラ８４をＹガイド４２の右側面４２Ｒに押し当てたとき、Ｙガイド４２は、支持点Ｐ３、Ｐ４を補助的な支持点として、右側面４２Ｒの１つの支持点Ｐ０と、左側面４２Ｌの２つの支持点Ｐ１、Ｐ２で支持した状態で安定する。これによって、Ｙキャリッジ１４のヨーイング方向の振れが生じ難い構成となっている。
【０１２２】
また、スケール１１２は、定盤１０に設置されるため、定盤１０とは別体のＹガイド等にスケール１１２を設置する場合と比較して、Ｙガイドの熱変形の影響や定盤とＹガイドとの締結部の不安定さによる測定精度の低下が生じない。そのため、持続的に高い測定精度を保つことができる。
【０１２３】
また、定盤１０の周縁部（右側面１０Ｒ、左側面１０Ｌ等）にスケール１１２を設けるのではなく、定盤１０の内側に配置していることから周囲温度の変化の影響が少なく、スケール１１２の伸縮による精度低下が抑止される。特に、上述のように溝４０の上部開口に蛇腹カバー１３４を設置して、溝４０の内部を外気から遮蔽しているため、スケール１１２に外気が直接あたることが防止され、また、溝４０の内部の温度変化も抑止されている。したがって、周囲温度の変化によるスケール１１２の伸縮が確実に抑止され、スケール１１２として、周囲温度に変化が生じても伸縮しない高価な材質のものを使用する必要がなく、安価なものを用いることができる。
【０１２４】
また、定盤１０の前側面１０Ｆ及び後側面１０Ｅが断熱部材１５０、１５２で被覆されるため、定盤１０の前側面１０Ｆ及び後側面１０Ｅが外気と熱的に遮断される。したがって、定盤１０の前側面１０Ｆ及び後側面１０Ｅから定盤１０の内部又は外気へと出入りする熱量が低減する。
【０１２５】
ここで、定盤１０として、溝４０が形成されず、かつ、断熱部材１５０、１５２が設けられていない定盤を仮定して、周囲温度の変化に対するその定盤１０の変形の様子について説明する。
【０１２６】
図１６は、定盤１０の周囲温度が低下するときに定盤１０が収縮する様子を示す。周囲温度が低下する場合には、定盤１０はその内部に先立って周辺部から温度が低下する。そのため、周囲温度が低下した後から定盤１０の内部が一様な温度に安定するまでの間、定盤１０の中心部が周辺部よりも高い温度分布となる。この間、定盤１０のＹ軸方向に沿う右側面１０Ｒ及び左側面１０Ｌと、Ｘ軸方向に沿う前側面１０Ｆ及び後側面１０Ｅは、そ
の中間部が端部よりも外側に膨らんだ状態となる。
【０１２７】
逆に、図１７は、定盤１０の周囲温度が上昇するときに定盤１０が膨張する様子を示す。周囲温度が上昇する場合には、定盤１０はその内部に先立って周辺部から温度が上昇する。そのため、周囲温度が上昇した後から定盤１０の内部が一様な温度に安定するまでの間、定盤１０の中心部が周辺部よりも低い温度分布となる。この間、定盤１０のＹ軸方向に沿う右側面１０Ｒ及び左側面１０Ｌと、Ｘ軸方向に沿う前側面１０Ｆ及び後側面１０Ｅは、その中間部が端部よりも内側にへこんだ状態となる。
【０１２８】
このような定盤１０の変形により、Ｙ軸方向に沿う右側面１０Ｒ及び左側面１０Ｌの真直度の低下を招く。そして、右側面１０Ｒを基準にしてＹキャリッジ１４をＹ軸方向に移動させると、Ｙキャリッジ１４にヨーイング方向（Ｚ軸周り方向）の振れが生じ、Ｙキャリッジ１４のＸガイド２０の方向がＸ軸方向からずれる。そのため、Ｙキャリッジ１４のＹ座標値の測定精度の低下を招く。
【０１２９】
これに対して本実施の形態の定盤１０は、前側面１０Ｆ及び後側面１０Ｅが断熱部材１５０、１５２で被覆されるため、前側面１０Ｆ及び後側面１０Ｅから定盤１０の内部又は外気へと出入りする熱量が低減する。そのため、周囲温度の低下、又は、上昇によって、定盤１０の内部に温度変化が生じ難くなると共に、温度変化が生じたとしてもＹ軸方向に対する温度勾配の発生が抑止される。
【０１３０】
したがって、周囲温度の変化にかかわらず定盤１０のＹガイド４２の真直度、即ち、Ｙガイド４２の左側面４２Ｌ、右側面４２Ｒ、上面４２Ｔ、及び下面４２Ｂの真直度の低下が抑止される。
【０１３１】
また、本実施の形態の定盤１０は、測定対象物が載置されて測定が行われる測定領域と、Ｙキャリッジ１４をＹ軸方向にガイドするＹガイド４２の領域（ガイド領域）とが溝４０によってＸ軸方向に不連続となっている。そのため、測定領域とガイド領域との間での熱伝導が抑止されており、ガイド領域（Ｙガイド４２）の近傍で発生する熱、即ち、Ｙ駆動機構により発生する熱であって、例えば、Ｙ駆動機構の駆動部８０のモータ等で発生した熱や、Ｙガイド４２とエアパッド６２Ｆ、６２Ｅ、６４Ｆ、６４Ｅ、６６Ｆ、６６Ｅ６８Ｆ、６８Ｅの間の摩擦熱等がガイド領域を介して測定領域に流れ込むことが抑止される。
【０１３２】
したがって、ガイド領域の近傍で発生した熱により定盤１０の測定領域に温度変化が生じることが抑止され、定盤１０の測定領域の変形が抑止される。そして、その熱により定盤１０のガイド領域に温度変化が生じ、温度勾配が生じたとしてもガイド領域の体積が小さいことから、ガイド領域の変形量は小さく、Ｙガイド４２の真直度への影響は殆ど生じないものとなっている。
【０１３３】
以上のことから、熱による定盤１０の変形が抑止され、Ｙガイド４２の真直度の低下が抑止されるため、Ｙキャリッジ１４のＹ軸方向への移動が精度良く行われる。したがって、熱の影響を受けない高精度な測定が可能となる。
【０１３４】
なお、定盤１０の右側面１０Ｒに沿って、Ｙガイド４２の領域の全体、又は、Ｙガイド４２と溝４０の全体を覆うカバーを設け、定盤１０のガイド領域が周囲温度の変化の影響を受けないようにしてＹガイド４２の真直度を維持するようにしてもよい。また、そのカバー内の温度がＹ駆動機構等から発生する熱により上昇した場合等においてカバー内の空気を外部に排出してカバー内の温度を一定に保持する排気手段を設けてもよい。
【０１３５】
以上、上記実施の形態の三次元座標測定装置１は、左右を反転した構成であってもよく、溝４０及びＹガイド４２は、定盤１０の右側面１０Ｒに沿った位置ではなく、定盤１０の左側面に沿った位置に形成してもよい。
【０１３６】
また、上記実施の形態では、Ｙガイド４２等の各面に摺動可能に当接する支持部材としてエアパッド（エアベアリング）を用いた場合を示したが、エアパッド以外の種類の支持部材を用いてもよい。また、Ｙガイド４２等の各面に摺動可能に当接する支持部材の配置や駆動部８０の配置も適宜変更することが可能である。溝４０の内部に配置される支持部材（エアパッド６６Ｆ、６６Ｅ）は、溝４０の右側面４０Ｒ以外の溝４０の内面に摺動可能に配置してもよい。
【０１３７】
また、上記実施の形態では、スケール１１２を溝４０の左側面４０Ｌに設置したが、左側面４０Ｌ以外の溝４０の内面（溝４０の右側面４０Ｒ、底面４０Ｂなど）にＹ軸方向に沿って設置することで上述と同様の効果が得られる。
【０１３８】
また、上記実施の形態では、溝４０の上部開口を被覆する被覆部材として蛇腹カバー１３４を用いたが、蛇腹カバー以外の種類の被覆部材を用いてもよい。たとえば、伸縮性のある材質の被覆部材で、溝４０に嵌入するＹキャリッジ１４の下端部分（支持部５０の左側部５６）の前側と後側の各々の溝４０の上部開口を覆うこともできる。また、溝４０の上部開口全体を一体形成された被覆部材で被覆すると共に、その被覆部材にＹキャリッジ１４の下端部分（支持部５０の左側部５６）が溝４０の外部から内部に挿通するための切込み等の挿通路であってＹキャリッジ１４の下端部分が挿通するとき以外は閉塞する挿通路を溝４０（Ｙ軸方向）に沿って形成したものであってもよい。更に、溝４０の上部開口を被覆する被覆部材を設けない形態としてもよい。
【０１３９】
また、上記実施の形態では、定盤１０の前側面１０Ｆと後側面１０Ｅに断熱部材１５０、１５２を設けたが、定盤１０の左側面１０Ｌにも断熱部材を設けてもよい。
【０１４０】
また、上記実施の形態では、Ｙキャリッジ１４のＹ座標値を測定するＹキャリッジ１４の位置検出手段や、Ｚコラム２２の位置検出手段、Ｚキャリッジ２４の位置検出手段として、光学式のリニアエンコーダ及びスケールを用いた形態を示したが、光学式に限らず、磁気式等の他の種類のリニアエンコーダ及びスケールを用いることができる。
【０１４１】
以上の三次元座標測定装置１の作用効果について以下、補足的に説明する。
【０１４２】
上記実施の形態の三次元座標測定装置１において、駆動部８０のローラ８４の軸が定盤１０の上面１０Ｔに対して垂直方向に配置される。したがって、ローラ８４が定盤１０の垂直面で接触するのでゴミをかむことがなく、また定盤１０の側面を基準にして正確に測定することができる。
【０１４３】
また、ローラ８４は、定盤１０の側面（右側面１０Ｒ）に沿って駆動する。したがって、微小に定盤１０が変形しても定盤１０を基準にして測定することができる。もし、定盤１０と違う別レールをローラ８４が沿って移動すると、別レールの熱膨張など他の要因で定盤１０の変形と同期しない。
【０１４４】
また、エアパッド６４Ｆ、６４Ｅ、６６Ｆ、６６Ｅも定盤１０の側面に沿って垂直方向に配置される。したがって、上記と同様に定盤１０を基準にして位置が設定される。また、Ｙキャリッジ１４の移動時に進行方向に対して左右に振れるヨーイング誤差を低減することができる。
【０１４５】
また、垂直方向に配置した駆動部８０のローラ８４が同様に垂直方向に配置したエアパッド６６Ｆ、６６Ｅで挟むように配置される。したがって、急な駆動でも前後でエアパッドで挟むことで姿勢を崩すことなくヨーイング誤差及び振動を低減することができる。
【０１４６】
また、Ｙキャリッジ１４における支持点Ｐ１と支持点Ｐ２との距離（間隔）が、それらの支持点Ｐ１、Ｐ２と駆動点Ｐ０との距離（間隔）に対して十分に大きい。したがって、Ｙキャリッジ１４の振動を低減することができ、また、移動方向に対して移動方向が左右の振れるヨーイング誤差を低減することができる。
【０１４７】
また、定盤１０の溝４０側面に垂直な配置でエアパッド６６Ｆ、６６Ｅが配置される。したがって、定盤１０に溝４０を形成し、エアパッド６６Ｆ、６６Ｅによる支持点Ｐ１、Ｐ２を定盤１０の溝４０の側面とすることで、定盤１０の熱膨張などの変形にも追従し、定盤１０を基準にして測定することができる。
【０１４８】
また、エアパッド６４Ｆ、６４Ｅによる支持点Ｐ３、Ｐ４に対向するエアパッド６６Ｆ、６６Ｅが定盤１０の溝４０の側面に支持点Ｐ１、Ｐ２として存在し、それらによってＹガイド４２に支持される。したがって、定盤１０の側面を基準とすると共に、Ｙキャリッジ１４が従動側（左Ｙキャリッジ１８側）に対して駆動側（駆動部８０が配置される右Ｙキャリッジ１６側）だけで支持される。そのため、従動側の摺動抵抗は無視できる程度となり、ヨーイング誤差が大幅に低減される。
【０１４９】
また、Ｙキャリッジ１４の従動側はＺ軸方向のエアパッド７０のみが配置され、Ｙ軸方向を抑制するエアパッドがない。したがって、従動側に余計な抵抗を作ることなく、Ｙ軸方向の移動は駆動側に倣う形になる。その結果、振動を低減し、ヨーイングを低減することができる。
【０１５０】
また、Ｘガイド２０及びＹキャリッジ１８の従動側のＺ軸方向のエアパッド７０のＹ軸方向の位置は、Ｙキャリッジ１８の駆動側のエアパッド６６Ｆ、６６Ｅ（支持点Ｐ１、Ｐ２）又はエアパッド６４Ｆ、６４Ｅ（支持点Ｐ３、Ｐ４）の間に存在する。したがって、急な加減速においても支持点Ｐ１、Ｐ２（又は支持点Ｐ３、Ｐ４）の幅でＸガイド２０及び測定部のモーメントを受けるだけで、摺動抵抗はほとんどない。その結果、振動やヨーイング誤差は極めて小さくなる。
【符号の説明】
【０１５１】
１…三次元座標測定装置、１０…定盤、１０Ｂ，２０Ｂ，４２Ｂ，２０２Ｂ…下面、１０Ｒ，２４Ｒ，４０Ｒ，４２Ｒ，２５０Ｒ…右側面、１０Ｔ，２０Ｔ，４２Ｔ，２０２Ｔ…上面、１２…架台、１４…Ｙキャリッジ、１６…右Ｙキャリッジ、１８…左Ｙキャリッジ、２０…Ｘガイド、２０Ｅ，２４Ｅ，２０２Ｅ，２５０Ｅ…後面、２０Ｆ，２４Ｆ，２０２Ｆ，２５０Ｆ…前面、２２…Ｚコラム、２４…Ｚキャリッジ、２４Ｌ，４０Ｌ，４２Ｌ，２５０Ｌ…左側面、２６…測定プローブ、２８…スタイラス、４０…溝、４０Ｂ…底面、４２…Ｙガイド、５０，２００…支持部、５２…基端部、５４…右側部、５６…左側部、５８…先端部、５８Ａ…支持板、６２Ｅ，６２Ｆ，６４Ｅ，６４Ｆ，６６Ｅ，６６Ｆ，６８Ｅ，６８Ｆ，７０，２１０，２１２，２１４，２１６，２６０，２６２，２６４，２６６…エアパッド、８０，２２０，２７０…駆動部、８２，２２２，２７２…モータ、８４，２２４，２７４…ローラ、１１０…リニアエンコーダ、１１２…スケール、１１４…光センサ、１３０Ｌ…左レール、１３０Ｒ…右レール、１３２Ｌ、１３２Ｒ…ガイド溝、１３４、１３４Ｅ、１３４Ｆ…蛇腹カバー、１５０、１５２…断熱部材、２０２…Ｘガイド挿通孔、２５０…Ｚキャリッジ挿通孔
【図１】
2019060894.tif 000003
【図２】
2019060894.tif 000004
【図３】
2019060894.tif 000005
【図４】
2019060894.tif 000006
【図５】
2019060894.tif 000007
【図６】
2019060894.tif 000008
【図７】
2019060894.tif 000009
【図８】
2019060894.tif 000010
【図９】
2019060894.tif 000011
【図１０】
2019060894.tif 000012
【図１１】
2019060894.tif 000013
【図１２】
2019060894.tif 000014
【図１３】
2019060894.tif 000015
【図１４】
2019060894.tif 000016
【図１５】
2019060894.tif 000017
【図１６】
2019060894.tif 000018
【図１７】
2019060894.tif 000019
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
Ｚ軸に垂直な上面とＹ軸方向に沿った第１の側面とを有し、前記上面に測定対象物を載置する定盤と、前記定盤の上面側で測定プローブを支持し、かつ、Ｙ軸方向に移動自在に配置されるＹキャリッジと、を備えた三次元座標測定装置において、
前記定盤に前記第１の側面に沿って形成された溝と、
前記第１の側面と前記溝との間に形成された前記Ｙキャリッジを移動可能に支持するＹガイドと、
前記Ｙガイドに当接し前記Ｙキャリッジを移動させる駆動部と、
を備えた三次元座標測定装置。